(57)【要約】【課題】  静止画撮影と動画撮影が可能な撮像装置において、撮像方式を切り替えるためにスイッチを切り替える煩わしさを解消することができる撮像装置を提供する。  【解決手段】  静止画撮影モード及び動画撮影モードの撮像方式を備えた撮像装置であって、前記撮像装置の正姿勢に対する傾きを検出する角度検出部と、前記撮像装置の前記傾きに応じて、前記静止画撮影モード及び前記動画撮影モードのどちらか一方から他方に切り替える切り替え手段と、を有することを特徴とする撮像装置。【選択図】図１
2009049741.tif 000002
【特許請求の範囲】
【請求項１】
静止画撮影モード及び動画撮影モードの撮像方式を備えた撮像装置であって、
前記撮像装置の正姿勢に対する傾きを検出する角度検出部と、
前記撮像装置の前記傾きに応じて、前記静止画撮影モード及び前記動画撮影モードのどちらか一方から他方に切り替える切り替え手段と、を有することを特徴とする撮像装置。
【請求項２】
前記切り替え手段を有効にする手段及び無効にする手段を備えていることを特徴とする請求項１に記載の撮像装置。
【請求項３】
前記切り替え手段は、前記撮像装置の撮影中は前記正姿勢に対する傾きが変化しても前記撮像方式は切り替わらず、撮影待機中は前記撮像方式が切り替わることを特徴とする請求項１又は２に記載の撮像装置。
【請求項４】
前記切り替え手段とは別の手段としての、前記撮像方式を選択する撮像方式選択手段を更に備えていることを特徴とする請求項１乃至３に記載の撮像装置。
【請求項５】
前記撮像装置の電源を投入した際、前記傾きに応じて、前記静止画撮影モード又は前記動画撮影モードで起動することを特徴とする請求項１乃至４に記載の撮像装置。
【請求項６】
前記切り替え手段は、前記撮像装置が前記横姿勢である場合に、前記撮像方式を前記静止画撮影モードに切り換えることを特徴とする請求項１乃至５に記載の撮像装置。
【請求項７】
前記切り替え手段は、前記撮像装置が前記横姿勢である場合に、前記撮像方式を前記静止画撮影モードに切り換え、
前記撮像装置が前記正姿勢である場合には、前記撮像方式選択手段の状態に基づいて前記撮像方式を切り換えることを特徴とする請求項１乃至５に記載の撮像装置。
【請求項８】
静止画撮影モード及び動画撮影モードの撮像方式を備えた撮像装置の撮像方式切り替え方法であって、
前記撮像装置の正姿勢に対する傾きを検出して前記撮像方式を切り替える場合、前記撮像装置が撮影中であるかどうか確認する工程と、
前記確認工程において撮影中でない場合、前記撮像装置の姿勢が前記正姿勢に対して横姿勢であるかどうかを検出する工程と、
前記検出工程において、前記横姿勢である場合は前記静止画撮影モードに設定する工程と、を含むことを特徴とする撮像方式切り替え方法。
【請求項９】
静止画撮影モード及び動画撮影モードの撮像方式を備えた撮像装置の撮像方式切り替え方法であって、
前記撮像装置の正姿勢に対する傾きを検出して前記撮像方式を切り替える場合、前記撮像装置が撮影中であるかどうか確認する工程と、
前記確認工程において撮影中でない場合、前記撮像装置の姿勢が前記正姿勢に対して横姿勢であるかどうか検出する工程と、
前記検出工程において、前記横姿勢である場合は前記静止画撮影モードに設定する工程と、
前記検出工程において、前記正姿勢である場合は前記撮像方式を選択する撮像方式選択手段の状態を判定する工程と、
前記判定工程において、前記撮像方式選択手段の状態に基づいて前記撮像方式を切り替える工程と、を含むことを特徴とする撮像方式切り替え方法。
【発明の詳細な説明】
【技術分野】
【０００１】
本発明は、撮像装置の傾きを検出して、撮像方式を切り替えることを特徴とする撮像装置に関するものである。
【背景技術】
【０００２】
デジタルカメラやデジタルビデオカメラのような撮像装置では、静止画と動画の両方の撮像方式を備えたものが多くなってきている。静止画と動画の撮像方式は、多くの場合別々のモードとして用意されており、その切り替えは撮像方式を切り替えるスイッチによって行われている。（例えば、特許文献１）
【特許文献１】特開２００５−２７７７３７
【発明の開示】
【発明が解決しようとする課題】
【０００３】
スイッチによる静止画撮影と動画撮影の撮像方式の切替は、撮像装置を使い慣れていない撮影者にとって分かりやすい反面、使い慣れてくると、逆に煩わしく感じてくるものである。また、撮影するときの撮像装置の状況によっては、撮像方式を手動で切り替えるまでも無く、撮像方式が一意的に決定する状況があるため、撮像方式切替スイッチ頼らなくも良いと感じられることがある。
【０００４】
例えば、撮像装置を地面に対して水平（正姿勢）にして撮影を行う場合と、地面に対して横に９０度回転させて（横姿勢にして）撮影を行う場合が、そのようなケースに該当する。一般に、静止画を撮影する場合は、撮像装置を地面に対して水平にして撮影することもあれば、横に９０度回転させて撮影することもある。これは、静止画を写真として観賞する場合や、パソコンのモニタで観賞する場合に、容易に静止画を回転させて観賞することができるためである。それに対して、動画を撮影する場合は、撮像装置を地面に対して水平にしたままで撮影するのが一般的である。これは、テレビの画面で動画を再生、観賞したときに、その映像を回転させて再生する手段が乏しいためである。また、仮に回転することができたとしても、テレビの画面は横長になっているため、映像が画面に写し出される範囲が極端に狭くなってしまうという、再生環境の違いによる特徴である。
【０００５】
そこで、本発明は撮像方式が一意的に決まる状況があることを利用して、課題の解決を図ることを目的としたものである。本発明は、静止画撮影と動画撮影が可能な撮像装置において、撮像方式を静止画撮影モード及び動画撮影モードのどちらか一方から他方へ切り替えるためにスイッチを切り替える煩わしさが解消可能な撮像装置に関する。
【課題を解決するための手段】
【０００６】
本発明の一側面としての撮像装置は、静止画撮影モード及び動画撮影モードの撮像方式を備えた撮像装置であって、前記撮像装置の正姿勢に対する傾きを検出する角度検出部と、前記撮像装置の前記傾きに応じて、前記静止画撮影モード及び前記動画撮影モードのどちらか一方から他方に切り替える切り替え手段と、を有することを特徴とする。
【０００７】
本発明の別の側面としての撮像方式切り替え方法は、静止画撮影モード及び動画撮影モードの撮像方式を備えた撮像装置の撮像方式切り替え方法であって、前記撮像装置の正姿勢に対する傾きを検出して前記撮像方式を切り替える場合、前記撮像装置が撮影中であるかどうか確認する工程と、前記確認工程において撮影中でない場合、前記撮像装置の姿勢が前記正姿勢に対して横姿勢であるかどうかを検出する工程と、前記検出工程において、前記横姿勢である場合は前記静止画撮影モードに設定する工程と、を含むことを特徴とする。
【０００８】
本発明の別の側面としての撮像方式切り替え方法は、静止画撮影モード及び動画撮影モードの撮像方式を備えた撮像装置の撮像方式切り替え方法であって、前記撮像装置の正姿勢に対する傾きを検出して前記撮像方式を切り替える場合、前記撮像装置が撮影中であるかどうか確認する工程と、前記確認工程において撮影中でない場合、前記撮像装置の姿勢が前記正姿勢に対して横姿勢であるかどうか検出する工程と、前記検出工程において、前記横姿勢である場合は前記静止画撮影モードに設定する工程と、前記検出工程において、前記正姿勢である場合は前記撮像方式を選択する撮像方式選択手段の状態を判定する工程と、前記判定工程において、前記撮像方式選択手段の状態に基づいて前記撮像方式を切り替える工程と、を含むことを特徴とする。
【０００９】
本発明の他の目的又はその他の特徴は、以下、添付図面を参照して説明される好ましい実施例によって明らかにされるであろう。
【発明の効果】
【００１０】
本発明によれば、撮像装置の正姿勢に対する傾きを検出する手段を備えることにより、撮像装置の正姿勢に対する傾きに応じて撮像方式を自動的に切り替えることが可能になるため、撮影者が撮像方式を切り替える煩わしさから解放されるという効果が得られる。
【発明を実施するための最良の形態】
【００１１】
図１は、本発明を適用した撮像装置の構成例を示すブロック図である。
【００１２】
図１において、撮像部１は光学系レンズ、ＣＣＤ等の撮像素子、オートフォーカス機構、ズーム機構等から構成される。撮像部１は、カメラ系制御部３の指示に従い、被写界に対して焦点や光量等を調整し、レンズを通して結像された被写界の光学像を映像信号に変換し、カメラ信号処理部２に送出する。カメラ信号処理部２は、カメラ系制御部３の指示に従い、上記映像信号に所定の信号処理を施して、記録系信号処理部６に送出する。操作部１２の一部は、カメラ系に関する各種スイッチ、ダイヤル（ＡＦオン／オフ、ＡＥオート／ロック、プログラムＡＥ等）類から構成され、操作者からの指示をシステム制御部１４を介してカメラ系制御部３に送出する。カメラ系制御部３は、マイクロコンピュータ等により構成され、システム制御部１４、操作部１２の指示等によりカメラ系全体を制御する。
【００１３】
信号処理部５は、記録系信号処理部６と再生系信号処理部７とから構成され、システム制御部１４の指示により、様々な、記録・再生信号処理を行う。記録系信号処理部６は、カメラ信号処理部２から出力された信号に対して、所定の信号処理を施してＶＴＲブロック４に送出する。再生系信号処理部７は、ＶＴＲブロック４から再生された信号に所定の処理を施し、それぞれ、画像変換部１０、スピーカ８に送出する。更に、システム制御部１４から送られる文字情報、印刷範囲枠表示情報を映像信号にミックスし、液晶パネル（ＬＣＤパネル）９に送出する。
【００１４】
ＶＴＲブロック４は、メカ部、メカ駆動部、マイクロコンピュータを中心とするメカ・サーボ制御部等から構成され、システム制御部１４の指示に従って、記録媒体への記録・再生動作を行う。
【００１５】
操作部１２の一部は、ＶＴＲ系、及び装置全体に関する各種スイッチ類から構成される。各種スイッチ類とは、例えば、［↑］，［→］，［↓］，［←]，［ＳＥＴ］，［ＥＮＤ］，［ＰＲＩＮＴ］，［ＭＥＮＵ］，［ＰＬＡＹ］，［ＦＦ／ＲＥＷ］，［ＳＴＯＰ］，［ＳＴＡＲＴ／ＳＴＯＰ］等である。そして、各種スイッチ類を介して、操作者からの指示をシステム制御部１４に送出する。電源スイッチ１５は、本体を起動するための電源の投入及び各モード（カメラ／切／ＶＴＲ）を選択するためのスイッチで、その状態をシステム制御部１４に送出する。
【００１６】
ＬＣＤパネル９は、映像信号を操作者に対して映像を映し出すと供に、文字や記号による本体の各種情報の表示、メニュー設定時のガイド表示、印刷範囲枠表示等を行う。
【００１７】
画像変換部１０は、システム制御部１４の指示により、再生系信号処理部７から再生信号を、プリンタが認識できる画像ファイル（例えばＪＰＥＧ画像）に変換し、外部デジタルＩ／Ｆ部（不図示）に出力する。
【００１８】
角度検出部１１は、ジャイロセンサーなどから構成され、撮像装置の正姿勢に対する傾きを検出する。角度検出部１１で検出された傾きの情報は、システム制御部１４に送出される。
【００１９】
内部記録媒体１３は、ＲＡＭやフラッシュＲＯＭなど、撮影した静止画データなどを一時的に記録、保持するために使用する記録媒体である。
【００２０】
システム制御部１４は、上述した、カメラ一体型ＶＴＲの各種機能を総合的に制御するマイクロコンピュータ等から構成される。
【実施例１】
【００２１】
このような撮像装置において、正姿勢からの傾きを検出して撮像方式を切り替える実施例について説明する。
【００２２】
図２は、実施例１における動作を表すフローチャートである。撮像装置の正姿勢に対する傾きを検出して、撮像方式を切り替えることを特徴とする撮像装置の実施例である。
【００２３】
最初に、撮像装置の傾きを検出して撮像方式を切り替えるかどうかを、撮像装置の設定内容から確認する（Ｓ１０１）。この設定は、図３に示すような撮像装置内のメニューにて行う。メニューで撮像方式の切替をオフ（無効）にした場合は、撮像装置の傾きを検出しても撮像方式の切替処理に進むことは無い。一方、切替設定がオン（有効）になっている場合は、撮像装置が撮影中かどうかを確認する（Ｓ１０２）。撮影中は、撮像装置の傾きが変化しても自動的には撮像方式の切替は行わない。そのため、撮影中ではない場合（撮影待機中）は次のステップに進む。次に、角度検出部１１で検出した撮像装置の傾きを検出して、そのデータを取得する（Ｓ１０３）。そして、撮像装置が横姿勢である（例えば、撮像装置が正姿勢に対して横姿勢方向に４５度以上傾いている）かどうかを確認し、図４のメニューで設定した内容に従って撮像方式を切り替える（Ｓ１０４）。正姿勢の時は動画撮影モード、横姿勢の時は静止画撮影モードに設定しているときは、横姿勢であれば撮像方式を静止画撮影モードに切り替え（Ｓ１０５）、正姿勢のときは撮像方式を動画撮影モードに切り替える（Ｓ１０６）。切り替えた後の撮像方式が、切り替える直前の撮像方式と同じ場合には、撮像方式の切替制御は行わない。
【実施例２】
【００２４】
図５は、実施例２における動作を表すフローチャートである。実施例２では、実施例１での傾きを検出して撮像方式を切り替えた後、別の撮像方式切り替え手段としての電源スイッチ１５の設定により撮像方式を決定することを特徴とする撮像装置の実施例である。
【００２５】
最初に、撮像装置の正姿勢に対する傾きを検出して撮像方式を切り替えるかどうかを、撮像装置の設定内容を確認する（Ｓ２０１）。この設定は、図６に示すような撮像装置内のメニューにて行う。メニューで撮像方式の切替をオフにした場合は、撮像装置の正姿勢に対する傾きを検出しても撮像方式の切替処理に進むことは無い。一方、切替設定がオンになっている場合は、撮像装置が撮影中かどうかを確認する（Ｓ２０２）。撮影中は、撮像装置の正姿勢に対する傾きを検出しても自動的には撮像方式の切替は行わない。そのため、撮影中ではない場合は次のステップに進む。次に、角度検出部１１で検出した撮像装置の正姿勢に対する傾きを検出して、そのデータを取得する（Ｓ２０３）。そして、撮像装置が横姿勢であるかどうかを確認する（Ｓ２０４）。撮像装置が正姿勢であれば撮像方式を撮像方式切替の判定処理を行うために、撮像方式選択スイッチの設定を検出する（Ｓ２０６）。スイッチの位置が動画撮影になっている場合は（Ｓ２０７）、撮像方式を動画撮影モードに切り替える（Ｓ２０８）。スイッチの位置が静止画撮影になっている場合は、撮像方式を静止画撮影モードに切り替える（Ｓ２０５）。切り替えた後の撮像方式が、切り替える直前の撮像方式と同じ場合には、撮像方式の切替制御は行わない。
【００２６】
本発明は、撮像装置の傾き、つまり、正姿勢か横姿勢かによって撮像方式を切り替えるため、一度撮像方式が切り替わった後の撮像方式の切り替えを制限するものではない。実施例１を例に挙げると、正姿勢から横姿勢に変更したとき撮像方式は動画撮影モードから静止画撮影モードに切り替わるが、その後撮像装置を横姿勢から正姿勢に戻した場合、撮像方式は静止画撮影モードから動画撮影モードに切り替わる。このように、本発明は、撮像装置の撮像方式を何回でも切り替えることが可能である。実施例２においても同様である。
【００２７】
また、本発明は、撮像装置の電源投入時に正姿勢又は横姿勢のどちらであるかを検出し、撮像方式を切り替えることも可能である。例えば、電源投入直後に、横姿勢で静止画撮影を行いたい場合、もし、撮像方式を手動で切り替えなくていけないときには、シャッターチャンスを逃してしまう恐れや切り替えがわずらわしく感じる恐れが生じる。しかし、電源投入時に自動的に切り替わればこのような問題は解消されるため上述したような場合に特に有効である。
【図面の簡単な説明】
【００２８】
【図１】本発明の撮像装置の構成を示すブロック図
【図２】実施例１の動作を説明するためのフローチャート
【図３】実施例１における撮像方式切替メニュー例
【図４】実施例１における撮像方式切替後の撮像方式選択メニュー例
【図５】実施例２の動作を説明するためのフローチャート
【図６】実施例２における撮像方式切替メニュー例
【符号の説明】
【００２９】
１：撮像部
２：カメラ信号処理部
３：カメラ系制御部
４：ＶＴＲブロック
５：信号処理部
６：記録系信号処理部
７：再生系信号処理部
８：スピーカ
９：ＬＣＤパネル
１０：画像変換部
１１：角度検出部
１２：操作部
１３：内部記録媒体
１４：システム制御部
１５：電源スイッチ
【図１】
2009049741.tif 000003
【図２】
2009049741.tif 000004
【図３】
2009049741.tif 000005
【図４】
2009049741.tif 000006
【図５】
2009049741.tif 000007
【図６】
2009049741.tif 000008